(57)【要約】【課題】  天井に設置される物品の点検、交換、清掃などの作業を容易に実施することができる天井面物品取付器具を提供することである。【解決手段】  天井に堅固に固定され、高さｈの四角筒によって形成される側面部（１２）と、側面部の上面に配置され、物品が取り付けられる基板部（１４）とを備え、基板部が、側面部の一方の辺（１２ａ）から対向する辺（１２ｂ）に向かって距離ｗの箇所に設けられた蝶番（１６）によって側面部に対して回転可能に取り付けられており、距離ｗが、側面部の高さｈとほぼ同等か又はそれよりも小さくなるように選定されており、物品の点検、交換、清掃作業の際、基板部を回転させて前記物品を露出させ、天井裏より作業を行うことができるように構成されていることを特徴とする。【選択図】  図１
2008243524.tif 000002
【特許請求の範囲】
【請求項１】
天井面物品取付器具であって、
天井に堅固に固定され、高さｈの四角筒によって形成される側面部と、
前記側面部の上面に配置され、物品が取り付けられる基板部とを備え、
前記基板部が、前記側面部の一方の辺から対向する辺に向かって距離ｗの箇所に設けられた蝶番によって前記側面部に対して回転可能に取り付けられており、
前記距離ｗが、前記側面部の高さｈとほぼ同等か又はそれよりも小さくなるように選定されており、
前記物品の点検、交換、清掃作業の際、前記基板部を回転させて物品を露出させ、天井裏より前記作業を行うことができるように構成されていることを特徴とする取付器具。
【請求項２】
天井面物品取付器具であって、
天井に堅固に固定され、四角筒によって形成される側面部と、
前記側面部の上面に配置され、物品が取り付けられる基板部とを備え、
前記基板部が、着脱可能な蝶番によって前記側面部に対して回転可能に取り付けられており、
前記物品の点検、交換、清掃作業の際、前記基板部を前記側面部から取り外して物品を露出させ、天井裏より前記作業を行うことができるように構成されていることを特徴とする取付器具。
【請求項３】
前記蝶番が、第１部分と第２部分の２つの部分から形成されており、前記第１部分が、板状片と、前記板状片の一方の縁部に沿って設けられ、円筒形状に形作られた第１シャフト収容部と、前記第１シャフト収容部内に収容されたシャフトとを有し、前記第１シャフト収容部の側壁に、間隔を隔てて第１切欠きと第２切欠きがそれぞれ設けられ、更に前記第１切欠きから前記第２切欠きまで延びた第３切欠きが設けられており、前記第２部分が、板状片と、前記板状片の一方の縁部に沿って設けられ、円筒形状に形作られた第２シャフト収容部とを有し、前記シャフトに設けられた摘まみを前記第３切欠きを介して前記第１切欠きと前記第２切欠きとの間を摺動させ、前記シャフトを前記第２シャフト収容部内へ出入りさせることにより、前記第１部分と前記第２部分の結合又は分離を行うように構成されていることを特徴とする請求項１又は２に記載の取付器具。
【発明の詳細な説明】
【技術分野】
【０００１】
本発明は、天井面に設置される種々の物品を取り付けるための器具に関する。本発明における物品には、照明器具の他、天井面に設置される非照明器具（例えば、スピーカー、火災感知器、空調用吹出口など）が含まれる。
【背景技術】
【０００２】
建築物の天井面には、照明器具を始めとして、スピーカー、火災検知器、空調用吹出口などの種々の物品が設置されているが、各部品は厚みがあるため、本体の大部分は天井内部に組み込まれている。これらの物品は、交換、点検、清掃などの作業のため、定期的に取り外す必要が生じてくる。このような物品の取り外しは、天井下から高所作業車や作業足場を組んで行われるが、天井が非常に高い（数メートル程度）場合や室内環境を隔離しなければならない施設（クリーンルーム、バイオハザード等）の場合には、天井裏からの作業が採用されており、天井裏に配置されたキャットウォークから作業が行われる場合が多い。
【０００３】
天井に設置される物品の取り外しに関して、種々の提案がなされている。たとえば、特許文献１には、照明器具が取り付けられる基板部を蝶番により旋回可能にし、点検作業時などに基板部を旋回させて、天井裏から照明器具に容易に接近できるように構成したクリーンルーム用照明器具が記載されている。また、特許文献２には、照明器具を側面部に留め具で固定したクリーンルーム用照明システムが記載されている。
【０００４】
【特許文献１】特開２００５−０４４５４０号公報
【特許文献２】特開２００６−１２８０４２号公報
【発明の開示】
【発明が解決しようとする課題】
【０００５】
しかしながら、特許文献１の装置では、図９に示されるように基板部の旋回時に点検作業のためのスペースが必要になるという課題がある。また、特許文献２のシステムでも、点検者が乗るキャットウォークから照明器具まで一定の距離があるため、照明器具が重い場合には、照明器具を持ち上げるのに相当な力を要するという課題がある（図１０参照）。さらに、天井に設置される照明器具以外の物品についても、同様の課題がある。このように従来の器具には、それぞれ課題があり、満足すべきものが見当たらないのが現状である。
【０００６】
本発明は、このような状況に鑑みて案出されたものであって、天井に設置される物品の点検、交換、清掃などの作業を容易に実施することができる天井面物品取付器具を提供することを目的とする。
【課題を解決するための手段】
【０００７】
本願請求項１に記載の天井面物品取付器具は、天井に堅固に固定され、高さｈの四角筒によって形成される側面部と、前記側面部の上面に配置され、物品が取り付けられる基板部とを備え、前記基板部が、前記側面部の一方の辺から対向する辺に向かって距離ｗの箇所に設けられた蝶番によって前記側面部に対して回転可能に取り付けられており、前記距離ｗが、前記側面部の高さｈとほぼ同等か又はそれよりも小さくなるように選定されており、前記物品の点検、交換、清掃作業の際、前記基板部を回転させて前記物品を露出させ、天井裏より前記作業を行うことができるように構成されていることを特徴とするものである。
【０００８】
本願請求項２に記載の天井面物品取付器具は、天井に堅固に固定され、四角筒によって形成される側面部と、前記側面部の上面に配置され、物品が取り付けられる基板部とを備え、前記基板部が、着脱可能な蝶番によって前記側面部に対して回転可能に取り付けられており、前記物品の点検、交換、清掃作業の際、前記基板部を前記側面部から取り外して前記物品を露出させ、天井裏より前記作業を行うことができるように構成されていることを特徴とするものである。
【０００９】
本願請求項３に記載の天井面物品取付器具は、前記請求項１又は２の取付器具において、前記蝶番が、第１部分と第２部分の２つの部分から形成されており、前記第１部分が、板状片と、前記板状片の一方の縁部に沿って設けられ、円筒形状の形作られた第１シャフト収容部と、前記第１シャフト収容部内に収容されたシャフトとを有し、前記第１シャフト収容部の側壁に、間隔を隔てて第１切欠きと第２切欠きがそれぞれ設けられ、更に前記第１切欠きから前記第２切欠きまで延びた第３切欠きが設けられており、前記第２部分が、板状片と、前記板状片の一方の縁部に沿って設けられ、円筒形状に形作られた第２シャフト収容部とを有し、前記シャフトに設けられた摘まみを前記第３切欠きを介して前記第１切欠きと前記第２切欠きとの間を摺動させ、前記シャフトを前記第２シャフト収容部内へ出入りさせることにより、前記第１部分と前記第２部分の結合又は分離を行うように構成されていることを特徴とするものである。
【発明の効果】
【００１０】
本発明によれば、特殊な工具や足場などを必要とすることなしに、照明器具などの点検、交換、清掃などの作業を天井裏から容易に実施することができる。また、本発明の取付器具を使用すれば、照明器具などの物品自体は市販品を用いても点検作業などを容易に行うことができる。さらに、本発明の取付器具は、簡単な構造であるので、コストがかからず、維持管理も容易である。
【発明を実施するための最良の形態】
【００１１】
次に、図面を参照して、物品が照明器具である場合を例にとり、本発明の好ましい実施の形態に係る天井面物品取付器具について詳細に説明する。図１は、本発明の第１の実施の形態に係る天井面物品取付器具を示した概略図である。図１において全体として参照符号１０で示される本発明の第１の実施の形態に係る天井面物品取付器具は、短い長さ（高さ）ｈの四角筒によって形成される側面部１２を備えている。側面部１２は、ボルト等の締結具（図示せず）を用いて天井内の上部コンクリート床面又は上部床を構成する構造材に堅固に固定されている。なお、側面部１２は通常、下面が天井面とほぼ面一になるように取り付けられる。
【００１２】
天井面物品取付器具１０は又、側面部１２の上面に配置される基板部１４を備えている。基板部１４は、側面部１２の平面形とほぼ同じ寸法を有しており、側面部１２の一辺１２ａから対向する辺１２ｂに向かって距離ｗの箇所（図２（ａ）参照）に設けられた蝶番１６によって側面部１２に対して回転可能に取付けられている。なお、距離ｗは、側面部１２の高さｈとほぼ同等か又はそれよりも小さくなるように選定されている。
【００１３】
基板部１４には、照明灯１８、反射板２０、および電源装置などの機器部品（図示せず）がそれぞれ取付けられている。一方、側面部１２の下面には、透光板２２が取付けられている。なお、図１では、２個の照明灯１８が図示されているが、照明灯１８の個数を１個又は３個以上にしてもよい。また、反射板２０は、照明器具の型式によっては省略することもできる。
【００１４】
図２は、天井面物品取付器具１０の作動を説明するための模式図であるが、図２においては簡単のため、照明灯１８、反射板２０、および透光板２２は図示されていない。通常時は、天井面物品取付器具１０は図２（ａ）に示すような状態で使用されている。そして、照明器具を点検しようとする場合には、基板部１４を側面部１２に固定している留め具１４ａ（図１参照）を外し、天井裏のキャットウォーク等から点検者が基板部１４の端部を持ち上げ、蝶番１６を中心として基板部１４を回転させ、照明器具等を露出させることにより、点検作業等を行う。この際、回転中心となる蝶番１６の設置箇所が基板部１４の端部ではなく中央に近い箇所であるので、照明器具等が重い場合であっても比較的容易に点検作業等を実施することが可能になる。また、距離ｗが高さｈとほぼ同等か又はそれよりも小さくなるように選定されているので、基板部１４の回転時に基板部１４の端部が透光板２２に当たることはない。また、取り付ける器具の形状によっては、基板部１４の蝶番より１２ａ側はｗより小さくしてもよく、或いは全くなくしてもよい。なお、基板部１４を回転させた後、透光板２２を取り外して透光板２２の清掃作業等を行うこともできる。
【００１５】
図３は、本発明の第２の実施の形態に係る天井面物品取付器具を示した概略図である。図３において全体として参照符号３０で示される本発明の第２の実施の形態に係る天井面物品取付器具は、短い長さ（高さ）の四角筒によって形成される側面部３２と、側面部３２の上面に配置される基板部３４とを備えている。側面部３２は、ボルト等の締結具（図示せず）を用いて天井内の上部コンクリート床面又は上部床を構成する構造材に堅固に固定されている。或いは、天井面物品取付器具３０にチャンネル材を固定し、これにボルト等の締結具を用いて、側面部３２を構造材に堅固に固定してもよい。なお、側面部３２の上面の一方の縁部に沿って、基板部３４を取り付ける際に用いられる取付片３２ａが配置されている。
【００１６】
天井面物品取付器具３０では、基板部３４は、着脱式の蝶番３６で側面部３２の取付片３２ａに着脱可能に取り付けられている。図４は、着脱式の蝶番３６を示した拡大斜視図である。蝶番３６は、第１部分３８と第２部分４０の２つの部分から形成されている。
【００１７】
蝶番３６の第１部分３８は、板状片３８ａと、板状片３８ａの一方の縁部に沿って設けられた第１シャフト収容部３８ｂと、第１シャフト収容部３８ｂ内に収容されたシャフト３８ｃとを有している。第１シャフト収容部３８ｂは、全体として円筒形の形状に形作られており、第１シャフト収容部３８ｂの円筒形の側壁には、間隔を隔てて第１切欠き３８ｂ１と第２切欠き３８ｂ２がそれぞれ設けられ、更に第１切欠き３８ｂ１から第２切欠き３８ｂ２まで延びた第３切欠き３８ｂ３も設けられている。
【００１８】
蝶番３６の第２部分４０は、板状片４０ａと、板状片４０ａの一方の縁部に沿って設けられた第２シャフト収容部４０ｂとを有している。第２シャフト収容部４０ｂは、全体として円筒形の形状に形作られている。
【００１９】
シャフト３８ｃは、第１シャフト収容部３８ｂ、および第２シャフト収容部４０ｂ内を容易に摺動できる程の直径をもつ円柱部材によって形成されており、シャフト３８ｃの周面には、摘まみ３８ｃ１が設けられている。これにより、第１シャフト収容部３８ｂの第１切欠き３８ｂ１から第３切欠き３８ｂ３を経て第２切欠き３８ｂ２まで摘まみ３８ｃ１を摺動させて、シャフト３８ｃを第２シャフト収容部４０ｂ内へ出入りさせることにより、第１部分３８と第２部分４０の結合又は分離を行うことができるようになっている（図４の矢印参照）。好ましくは、シャフト３８ｃの両端は、蝶番３６の容易な着脱を容易にするように、円錐状に形作られている。なお、板状片３８ａ、４０ａは、溶接やネジ等の適当な手段で取付片３２ａ、基板部３４に取付けられている。
【００２０】
図５は、天井面物品取付器具３０の作動を説明するための図である。通常時は、天井面物品取付器具３０は図３に示すような状態で使用されている（その際、シャフト３８ｃは図５（ａ）のような状態になっている）。そして、照明器具を点検しようとする場合には、蝶番３６のシャフト３８ｃを第２部分４０から遠去かる方へ摺動させると、シャフト３８ｃを第２シャフト収容部４０ｂから抜くことができ、これにより基板部３４を側面部３２の取付片３２ａから取り外すことができる（図５（ｂ）参照）。図６は、基板部３４が取り外された天井面物品取付器具３０を示した斜視図である。このようにして、基板部３４を取り外して照明器具の点検作業等が行われる。
【００２１】
図７（ａ）に示されるように、蝶番３６を中心として基板部３４を回転させて照明器具を露出させてもよい。また、基板部３４が回転し過ぎないようにするため、基板部３４の隅部に回転留め具４２を取り付けるのが好ましい。図７（ｂ）は、回転留め具４２の一例を示した図である。参照符号４２ａ、４２ｂは、回転留め具４２を基板部３４に固定するためのネジ、基板部３４を側面部３２に固定する留め具（図示せず）を通すための穴をそれぞれ示している。
【００２２】
本発明は、以上の発明の実施の形態に限定されることなく、特許請求の範囲に記載された発明の範囲内で、種々の変更が可能であり、それらも本発明の範囲内に包含されるものであることはいうまでもない。
【００２３】
例えば、前記実施の形態においては、照明器具に関連して天井面物品取付器具１０、３０について説明されているが、照明器具以外の物品の取り付けに適用してもよい。図８は、空調用吹出口の取り付けに適用した例を示した図である。図８において、参照符号６０、６２、６４、６６、６８は、天井面物品取付器具、側面部、基板部、蝶番、空調用吹出口をそれぞれ示している。
【００２４】
また、第１の実施の形態に係る天井面物品取付器具１０において、着脱可能な蝶番３６を用いてもよい。
【図面の簡単な説明】
【００２５】
【図１】本発明の第１の実施の形態に係る天井面物品取付器具を示した概略図である。
【図２】図１の天井面物品取付器具の作動を説明するための図である。
【図３】本発明の第２の実施の形態に係る天井面物品取付器具を示した斜視図である。
【図４】図３の天井面物品取付器具に用いられる着脱式の蝶番を示した拡大斜視図である。
【図５】図３の天井面物品取付器具の作動を説明するための図である。
【図６】図３の天井面物品取付器具において基板部を取り外した状態を示した斜視図である。
【図７】図７（ａ）は図３の天井面物品取付器具において基板部を回転させた状態を示した斜視図、図７（ｂ）図３の天井面物品取付器具に設けられる回転防止具を示した拡大図である。
【図８】物品が空調用吹出口である場合の天井面物品取付器具を示した図である。
【図９】従来の天井面物品取付器具の例を示した図である。
【図１０】従来の天井面物品取付器具の別の例を示した図である。
【符号の説明】
【００２６】
１０（回転式）天井面物品取付器具
１２  側面部
１４  基板部
１６  蝶番
１８  照明灯
２０  反射板
３０（着脱式）天井面物品取付器具
３２  側面部
３４  基板部
３６  蝶番
３８  第１部分
３８ａ  板状片
３８ｂ  シャフト収容部
３８ｃ  シャフト
４０  第２部分
４０ａ  板状片
４０ｂ  シャフト収容部
４２  回転留め具
６０（空調用吹出口に関する）天井面物品取付器具
６２  側面部
６４  基板部
６６  蝶番
６８  空調用吹出口
【図１】
2008243524.tif 000003
【図２】
2008243524.tif 000004
【図３】
2008243524.tif 000005
【図４】
2008243524.tif 000006
【図５】
2008243524.tif 000007
【図６】
2008243524.tif 000008
【図７】
2008243524.tif 000009
【図８】
2008243524.tif 000010
【図９】
2008243524.tif 000011
【図１０】
2008243524.tif 000012